(57)【特許請求の範囲】
【請求項１】
内部に光源を収納し、前記光源の照射方向側が開口するとともに前記開口を形成する開口周縁の内周に環状に形成された溝部を有する器具本体と、
前記光源の光が通過するレンズを備えるレンズユニットであって、柔軟性を有する軟部材により形成された環状の枠部と前記光源の照射方向側に突き出したつまみ部とを有し、前記枠部が前記溝部に嵌め込まれて前記器具本体に取り付けられるレンズユニットと
を備えることを特徴とする照明器具。
【請求項２】
前記レンズユニットは、前記つまみ部が前記器具本体の内部方向に押し込まれることにより前記枠部が前記溝部に嵌め込まれることを特徴とする請求項１に記載の照明器具。
【請求項３】
前記レンズユニットは、
レンズを挿入するレンズ挿入孔を備え、前記レンズ挿入孔に挿入されたレンズを支持するレンズホルダーと、
前記レンズホルダーにより支持されたレンズを露出させるレンズ露出孔を備え、前記レンズをレンズホルダーに押し付けながら前記レンズホルダーに取り付けられるレンズ押さえとを備え、
前記枠部は、前記レンズ押さえの周囲に環状に形成される
ことを特徴とする請求項１または２に記載の照明器具。
【請求項４】
前記枠部は、前記レンズ押さえの周囲近傍を挟み込むことにより前記レンズ押さえを取り付けるレンズ押さえ取付部を備えることを特徴とする請求項３に記載の照明器具。
【請求項５】
前記レンズ押さえと前記枠部とは、一体的に二色形成されることを特徴とする請求項３または４に記載の照明器具。
【請求項６】
前記枠部は、前記溝部に嵌め込まれる溝嵌め込み部を備えることを特徴とする請求項１〜５のいずれかに記載の照明器具。
【発明の詳細な説明】
【技術分野】
【０００１】
本発明は、例えば、交換可能なレンズユニットを備える照明器具に関する。
【背景技術】
【０００２】
従来、ＬＥＤ光源からの光を集光させる技術としてレンズを使用している。容易なレンズの交換方式として、ＬＥＤ照明器具の灯具に着脱可能なレンズユニットを用い、別部品である固定部材を使用して灯具にレンズユニットを固定する構造がある。
【先行技術文献】
【特許文献】
【０００３】
【特許文献１】特開２００４−３２７１３８号公報
【特許文献２】特開２００２−３０４９０３号公報
【発明の概要】
【発明が解決しようとする課題】
【０００４】
固定部材を使用して灯具にレンズユニットを固定する構造では、固定部材としてレンズユニットとは別の部品を使用する。このため、天井等に照明器具を設置した後にレンズユニットを交換する場合等に、レンズユニットを押さえながらの取付け取外し作業が必要となり、作業性に劣るという課題がある。
【０００５】
本発明は、例えば、上記のような課題を解決するためになされたものであり、簡単にレンズユニットの着脱をすることができる作業性の高い照明器具を提供する。
【課題を解決するための手段】
【０００６】
本発明に係る照明器具は、
光源を収納し、前記光源の照射方向側が開口するとともに前記開口を形成する開口周縁の内周に形成された溝部を有する器具本体と、
前記光源の光が通過するレンズと柔軟性を有する軟部材により形成される枠部とを有し、前記枠部が前記溝部に嵌め込まれて前記器具本体に取り付けられるレンズユニットと
を備えたことを特徴とする。
【発明の効果】
【０００７】
本発明に係る照明器具は、光源を収納し、前記光源の照射方向側が開口するとともに前記開口を形成する開口周縁の内周に形成された溝部を有する器具本体と、前記光源の光が通過するレンズと柔軟性を有する軟部材により形成される枠部とを有し、前記枠部が前記溝部に嵌め込まれて前記器具本体に取り付けられるレンズユニットとを備えているので、レンズユニットを器具本体の開口に押し込むことにより、レンズユニットを器具本体に簡単に取り付けることができるという効果を奏する。
【図面の簡単な説明】
【０００８】
【図１】実施の形態１に係る照明器具１０００（灯具１００）の斜視図である。
【図２】実施の形態１に係る照明器具１０００（灯具１００）において、レンズユニット１２０を灯具本体１１０から取り外した状態の分解斜視図である。
【図３】実施の形態１に係る灯具本体１１０の断面図である。
【図４】実施の形態１に係るレンズユニット１２０の分解斜視図である。
【図５】（ａ）が実施の形態１に係るレンズユニット１２０の断面図、（ｂ）は、実施の形態１に係るレンズユニット１２０の分解断面図である。
【図６】実施の形態１に係る灯具１００の分解断面図である。
【図７】実施の形態１に係る灯具１００（灯具本体１１０にレンズユニット１２０が取り付けられた状態）の断面図である。
【図８】レンズユニット１２０、１２０ｂの斜視図であり、（ａ）は実施の形態１で説明したレンズユニット１２０を示す図、（ｂ）は実施の形態２に係るレンズユニット１２０ｂを示す図である。
【発明を実施するための形態】
【０００９】
実施の形態１．
図１は、実施の形態１に係る照明器具１０００（灯具１００）の斜視図である。図２は、実施の形態１に係る照明器具１０００（灯具１００）において、レンズユニット１２０を灯具本体１１０から取り外した状態の分解斜視図である。図１及び図２を用いて、照明器具１０００（灯具１００）の構成の概要を説明する。
【００１０】
図１に示すように、照明器具１０００は、灯具１００と、電源ユニット（図示なし）とを備える。灯具１００は、灯具本体１１０と、レンズユニット１２０とを備える。図２に示すように、レンズユニット１２０は、灯具本体１１０に着脱可能に構成されている。照明器具１０００は、例えば、天井面等の埋込穴に挿入して取り付けられるダウンライトである。
【００１１】
図２に示すように、灯具本体１１０（器具本体）は、内部に４つのＬＥＤ１１２ａ（光源）を収納する。４つのＬＥＤ１１２ａは、円形状に均等な間隔で配置される。ＬＥＤ１１２ａは、４つ以上あるいは３つ以下、例えば、２つ、３つ、５つ、６つ、７つ、８つのＬＥＤ１１２ａでもよく、円形状に均等な間隔で配置されていることが好ましい。
【００１２】
また、レンズユニット１２０には、複数のＬＥＤ１１２ａのそれぞれに対応する複数のレンズ１２１が取り付けられている。本実施の形態では、レンズユニット１２０には、４つのＬＥＤ１１２ａのそれぞれに対応する４つのレンズ１２１が取り付けられている。
【００１３】
灯具本体１１０は、ＬＥＤ１１２ａの照射方向側に略円形の開口部１１１ａを有し、レンズユニット１２０は、開口部１１１ａを塞ぐように灯具本体１１０の開口部１１１ａ近傍に取り付けられる。取付方法の詳細については後述するが、本実施の形態にかかる灯具１００では、作業者がレンズユニット１２０略中央に設けられたつまみ部１２３ｄを持ちながら、簡単にレンズユニット１２０を灯具本体１１０に取り付けることができる構成を備えている。
【００１４】
本実施の形態の照明器具１０００（灯具１００）は、ＬＥＤ１１２ａ（光源）の発する光を配光する（あるいは集光する、あるいは拡散する）方法としてレンズ１２１を使用している。作業者は、所望の光の配光（集光、拡散）を実現するために、適切なレンズ１２１が配置されたレンズユニット１２０を灯具本体１１０に装着する。たとえば、光の配光を変化させるためにレンズ１２１を交換したい場合には、作業者は、灯具本体１１０からレンズユニット１２０をはずし、レンズユニット１２０のレンズ１２１を適切なレンズ１２１に交換して、再びレンズユニット１２０を灯具本体１１０に装着するという作業をする。
【００１５】
図３は、実施の形態１に係る灯具本体１１０の断面図である。図３を用いて、実施の形態１に係る灯具本体１１０の構成について説明する。図３に示すように、灯具本体１１０は、筐体１１１と、ＬＥＤ基板１１２と、ＬＥＤ基板押さえ１１３と、取付バネ１１４とを備える。
【００１６】
筐体１１１は、ＬＥＤ１１２ａ（図２参照）が配置されたＬＥＤ基板１１２を内部に収納し、ＬＥＤ１１１ａの照射方向Ｐ側が開口している。筐体１１１は、照射方向Ｐ側が凹形状に凹んでおり、凹み部分の底部である取付面１１１ｅにＬＥＤ基板１１２を取り付ける。この凹み部分をＬＥＤ基板収納部１６０とする。ＬＥＤ基板収納部１６０は、略円筒形であり、開口部１１１ａに対向する位置に取付面１１１ｅを備える。また、開口部１１１ａを形成する開口周縁部１１１ｆから取付面１１１ｅに向かって側面部１１１ｃを備えている。
【００１７】
筐体１１１は、開口周縁部１１１ｆから外側に向かって形成された環状のつば部１１５（図１参照）を備える。つば部１１５は、灯具本体１１０が天井等の埋込穴に挿入された場合に、埋込穴の縁に引っかかり、天井面側の面（接触面１１５ａ）が天井面に接触する。また、つば部１１５の接触面１１５ａの反対側の面は、天井面等に露出し、意匠的な役割をする。
【００１８】
筐体１１１の照射方向Ｐ側の反対側（すなわち、開口部１１１ａの裏面側）には、放熱フィン１１１ｂを備える。放熱フィン１１１ｂは、ＬＥＤ１１２ａの発する熱を放熱する。
【００１９】
取付バネ１１４は、筐体１１１の側面にネジ１７０により取り付けられる。取付バネ１１４は、灯具１００を埋込穴に取り付ける際に、埋込穴に係合して灯具１００を固定する。
【００２０】
ＬＥＤ基板収納部１６０の凹形状の底部である取付面１１１ｅには、ＬＥＤ基板１１２が取り付けられる。ＬＥＤ基板１１２は、ＬＥＤ基板押さえ１１３とともに取付面１１１ｅにネジ１７１を用いて取り付けられる。ＬＥＤ基板押さえ１１３は、ＬＥＤ基板１１２を取付面１１１ｅに固定する。
【００２１】
灯具本体１１０（筐体１１１）は、開口周縁部１１１ｆ近傍の内周（すなわち、側面部１１１ｃの内周）に形成された取付溝１１１ｄ（溝部）を備える。取付溝１１１ｄは開口周縁部１１１ｆからＬＥＤ基板１１２側（上方）の内周に、例えば、環状に形成された溝である。取付溝１１１ｄの径をＬ１とする。取付溝１１１ｄは、レンズユニット１２０を取り付けるための溝である。
【００２２】
また、開口周縁部１１１ｆから取付溝１１１ｄの下端部までは、径の長さがＬ３の筒状の部分である。側面部１１１ｃにおいて、取付溝１１１ｄの下方（照射方向Ｐ側）の筒状の部分の側面部１１１ｃを側面部Ａ１１１ｃａとする。
【００２３】
また、灯具本体１１０（筐体１１１）は、取付溝１１１ｄの上方に、後述するレンズユニット１２０の一部が収納される収納溝１１１ｇを備える。収納溝１１１ｇの径はＬ２である。取付溝１１１ｄ及び収納溝１１１ｇは、レンズユニット１２０を取り付けるための溝である。収納溝１１１ｇは、取付溝１１１ｄのＬＥＤ基板１１２側に環状に形成された溝であり、取付溝１１１ｄと連続している。収納溝１１１ｇの径をＬ２とする。図３に示すように、Ｌ１＞Ｌ２となるように形成される。レンズユニット１２０の灯具本体１１０に対する取付方法については後述する。
【００２４】
また、収納溝１１１ｇの上端部から取付面１１１ｅまでの部分は、径の長さがＬ４の筒状の部分である。径の長さがＬ４の筒状の部分の側面部１１１ｃを、側面部Ｂ１１１ｃｂとする。
【００２５】
ＬＥＤ基板収納部１６０の形状は、各部分の径の大小関係がＬ１＞Ｌ３＞Ｌ２＞Ｌ４となるような形状となっている。
【００２６】
図４は、実施の形態１に係るレンズユニット１２０の分解斜視図である。図５は、（ａ）が実施の形態１に係るレンズユニット１２０の断面図、（ｂ）は、実施の形態１に係るレンズユニット１２０の分解断面図である。図４及び図５を用いて、レンズユニット１２０の構成について説明する。
【００２７】
レンズユニット１２０は、レンズホルダー１２２と、レンズ１２１と、レンズ押さえ１２３とを備える。レンズホルダー１２２は、レンズ１２１を挿入する孔であるレンズ取付部１２２ａ（レンズ挿入孔）を備え、レンズ取付部１２２ａに挿入されたレンズを支持する。レンズ押さえ１２３は、レンズホルダー１２２により支持されたレンズを露出させるレンズ露出孔１２３ｃを備え、レンズ１２１をレンズホルダー１２２に押し付けながらレンズホルダー１２２に取り付けられる。また、レンズ押さえ１２３は、柔軟性を有する柔軟部材（軟部材）により形成された枠部１２５であって、上述した灯具本体１１０の取付溝１１１ｄに嵌め込まれる枠部１２５を備える。
【００２８】
レンズユニット１２０は、４個のレンズ１２１と、４つのレンズ１２１を収納するレンズホルダー１２２と、レンズホルダー１２２の照射方向Ｐ側に取り付けられ、レンズ１２１を押さえるレンズ押さえ１２３と、レンズ押さえ１２３をレンズホルダー１２２に固定するネジ１２４とを備える。
【００２９】
レンズ１２１は、円錐形状をなしており、この円錐形状の底面の周縁から外方に突出する位置決め凸部１２１ａを備える。また、レンズ１２１は、円錐形状の頂部側に設けられ、ＬＥＤ１１２ａの発光部が挿入される入光凹部（図示しない）を備える。
【００３０】
レンズホルダー１２２は、略円板形状であり、レンズ１２１を挿入するレンズ挿入孔であるレンズ取付部１２２ａを４つ備える。レンズ取付部１２２ａ（レンズ挿入孔）の周縁には、レンズ１２１が挿入される場合の位置決めに用いる位置決め凹部１２２ｂが形成される。レンズ１２１をレンズ取付部１２２ａに挿入する場合に、レンズ１２１の位置決め凸部１２１ａをレンズホルダー１２２の位置決め凹部１２２ｂに嵌め込むことにより、レンズ１２１位置決めが容易となる。
【００３１】
レンズホルダー１２２は、アクリル樹脂やポリカーボネート樹脂などの樹脂部材により形成される。レンズホルダー１２２の周縁には、レンズユニット１２０を灯具本体１１０に装着する場合に位置決めをするための切り欠きであるホルダー位置決め部１２２ｃが形成される。ホルダー位置決め部１２２ｃを用いたレンズホルダー１２２の位置決め方法については後述する。
【００３２】
レンズ押さえ１２３は、レンズ１２１を照射方向Ｐ側に露出させるレンズ露出孔１２３ｃを４つ備える。レンズ押さえ１２３は、照射方向Ｐ側の面がやや凹んでいる円板形状（あるいは、皿状）である。また、レンズ押さえ１２３の照射方向Ｐ側の面の裏面には、レンズホルダー１２２に取り付けられた場合にレンズホルダー１２２が収納される凹み部を有する（図５参照）。レンズ押さえ１２３の凹み部を形成する側面をレンズ押さえ側面部１２３ｇとする。
【００３３】
レンズ押さえ側面部１２３ｇには、レンズホルダー１２２に取り付ける際（すなわち、レンズホルダー１２２が凹み部に収納される際）の位置決めに用いる位置決め部１２３ｆを備える。レンズ押さえ側面部１２３ｇの位置決め部１２３ｆは、レンズホルダー１２２のホルダー位置決め部１２２ｃに対応する位置に設けられた凹み部分である。
【００３４】
位置決め部１２３ｆは、レンズホルダー１２２とレンズ押さえ１２３との位置決めに用いるとともに、レンズユニット１２０を灯具本体１１０に取り付ける場合の位置決めにも用いられる。
【００３５】
レンズ押さえ１２３は、アクリル樹脂やポリカーボネート樹脂など樹脂部材により形成されている。レンズ押さえ１２３は、４つのレンズ露出孔１２３ｃと、４つのレンズ露出孔１２３ｃのほぼ中央に設けられるつまみ部１２３ｄとを備える。レンズ押さえ１２３は、中央近傍に照射方向Ｐ側に突き出したつまみ部１２３ｄを備える。つまみ部１２３ｄは、照射方向Ｐ側から作業者（ユーザー）が摘むことができる円筒形状をなしており、裏面側（照射方向Ｐ側の反対側）にはネジ１２４がねじ込まれるネジ取付穴１２３ｅを備える（図５参照）。
【００３６】
レンズ押さえ１２３の周囲には、枠部１２５が形成される。枠部１２５は、柔軟性を有するシリコン等の柔軟部材（弾性部材）により形成され、上述した灯具本体１１０の取付溝１１１ｄに嵌め込まれる。枠部１２５は、レンズ押さえ１２３の周囲に環状に形成される。
【００３７】
レンズ押さえ１２３とレンズ押さえ１２３の周囲に形成される枠部１２５とは、例えば、樹脂部材（レンズ押さえ１２３部分）と柔軟部材（枠部１２５部分）とを一体的に形成する二色成形により形成される。また、あるいは、樹脂部材（レンズ押さえ１２３部分）と柔軟部材（枠部１２５部分）とを別部品として形成し、レンズ押さえ１２３に枠部１２５を取り付ける方法により形成してもよい。本実施の形態では、レンズ押さえ１２３の周囲に枠部１２５が形成されているものをレンズ押さえ１２３と呼ぶ場合もある。
【００３８】
また、レンズ１２１以外のユニット部分のすべてをシリコンなどの柔軟性の材料としてもよい。すなわち、レンズホルダー１２２、レンズ押さえ１２３（枠部１２５を含む）をシリコンなどの柔軟性の材料で形成してもよい。この場合、枠部１２５を含むレンズ押さえ１２３を一体形成することができる。
【００３９】
また、レンズユニット１２０は、レンズとユニット部（レンズホルダー１２２、レンズ押さえ１２３（枠部１２５を含む））の二色射出成型による一体化構造（一部品化）としてもよい。
【００４０】
以上のように、レンズユニット１２０は、少なくとも一部が柔軟性の材料により形成されている。また、レンズユニット１２０は、レンズ押さえ１２３の内側と外側で硬さを変化させている。また、レンズユニット１２０は、外郭にシリコンなどの柔軟性の材料とした部品を取付けている。
【００４１】
レンズ押さえ１２３において、凹み形状の底面（皿形状の底面）を中央部１２３ｂとする。また、レンズ押さえ１２３において、凹み形状の開口の縁部（皿形状の開口の縁部）をレンズ押さえ縁部１２３ａとする。枠部１２５は、レンズ押さえ縁部１２３ａから外側に形成されたフリンジ状（つば状）の枠である。枠部１２５のフリンジ状（つば状）の枠は、中央部１２３ｂと略平行に形成されている。
【００４２】
図５（ｂ）は、レンズユニット１２０において、枠部１２５を取り外した状態の図である。図５（ｂ）に示すように、枠部１２５が取り外されたレンズ押さえ１２３は、周囲に枠部１２５を取り付けるための枠取付部１２３ｈを備える。枠取付部１２３ｈは、レンズ押さえ１２３（枠部１２５が取り外された状態）の周囲（周の端部）が外側に突出して形成された環状の突出部である。
【００４３】
枠部１２５は、環状であり、上述した灯具本体１１０の取付溝１１１ｄに嵌め込まれる周辺部１２５ｂ（溝嵌め込み部）と、レンズ押さえ１２３（枠部１２５が取り外された状態）の周囲（周の端部）の枠取付部１２３ｈを挟んで保持するレンズ押さえ取付部１２５ａとを備える。
【００４４】
図５（ｂ）の枠部１２５の断面図に示すように、枠部１２５は２段になっている。枠部１２５の照射方向Ｐ側（下方）の段は、周の端部が取付溝１１１ｄに嵌め込まれる周辺部１２５ｂ（溝嵌め込み部）である。
【００４５】
枠部１２５の照射方向Ｐ側ではない方（上方）の段は、端部が内部に向かって形成され、断面形状がカギ型である。カギ型の空間部分（レンズ押さえ挟持部１２５ｃ）にレンズ押さえ１２３（枠部１２５が取り外された状態）の枠取付部１２３ｈが挟持される（図５（ａ）参照）。以上のように、枠部１２５にレンズ押さえ１２３（枠部１２５が取り外された状態）が取り付けられる。
【００４６】
ここで、レンズユニット１２０の組み立て工程（組み立て方法）について説明する。
（１）レンズ１２１の位置決め凸部１２１ａがレンズホルダー１２２の位置決め凹部１２２ｂに嵌るように、４つのレンズ１２１をレンズホルダー１２２のレンズ取付部１２２ａに挿入する。
（２）レンズホルダー１２２の照射方向Ｐ側（レンズを挿入した挿入面側）に、レンズ押さえ１２３（枠部１２５が形成されている状態）を取り付け、その後、レンズホルダー１２２側からネジ１２４をネジ取付穴１２３ｅにねじ込み、レンズ押さえ１２３をレンズホルダー１２２に固定する。このとき、レンズホルダー１２２のホルダー位置決め部１２２ｃとレンズ押さえ１２３の位置決め部１２３ｆとを対応させて取り付ける。
【００４７】
図６は、実施の形態１に係る灯具１００の分解断面図である。図７は、実施の形態１に係る灯具１００（灯具本体１１０にレンズユニット１２０が取り付けられた状態）の断面図である。
【００４８】
図６に示すように、ＬＥＤ基板１１２は、ＬＥＤ基板押さえ１１３とともにネジ１７１を用いて取付面１１１ｅにネジ止めされる。ＬＥＤ基板押さえ１１３の中央部には、レンズユニット１２０のネジ１２４のネジ頭を収納する凹み（ネジ頭収納部１１３ａ）が形成されている。
【００４９】
また、灯具本体１１０のＬＥＤ基板収納部１６０における側面部Ａ１１１ｃａ部分の径Ｌ３、取付溝１１１ｄの径Ｌ１、収納溝１１１ｇの径Ｌ２、側面部Ｂ１１１ｃｂ部分の径Ｌ４と、レンズユニット１２０の周辺部１２５ｂの外端部の径Ｌ５、レンズ押さえ取付部１２５ａの外端部の径Ｌ６、レンズユニット１２０の上面部１２０ａの径Ｌ７との関係は以下の関係となるように構成される。
（１）取付溝１１１ｄの径Ｌ１とレンズユニット１２０の周辺部１２５ｂの外端部の径Ｌ５との関係：Ｌ１≒Ｌ５。Ｌ５よりＬ１の方がやや大きくても構わないが、レンズユニット１２０がずれないようにするためにもＬ１とＬ５はほぼ同一であり、取付溝１１１ｄの中に周辺部１２５ｂが充填される（密着する）ことが好ましい。
（２）収納溝１１１ｇの径Ｌ２とレンズ押さえ取付部１２５ａの端部の径Ｌ６：Ｌ２≒Ｌ６。Ｌ６よりＬ２の方がやや大きくても構わないが、レンズユニット１２０がずれないようにするためにもＬ２とＬ６とはほぼ同一であり、収納溝１１１ｇの中にレンズ押さえ取付部１２５ａが充填される（密着する）ことが好ましい。
（３）側面部Ａ１１１ｃａの径Ｌ３と周辺部１２５ｂの外端部の径Ｌ５とレンズ押さえ取付部１２５ａの外端部の径Ｌ６：Ｌ６＜Ｌ３＜Ｌ５。
（４）レンズユニット１２０の上面部１２０ａの径Ｌ７と側面部Ｂ１１１ｃｂの径Ｌ４：Ｌ７≒Ｌ４。ここで、ＬＥＤ基板収納部１６０の側面部Ｂ１１１ｃｂに囲まれた部分の側面（すなわち側面部Ｂ１１１ｃｂ）には、図４に示すレンズユニット１２０（レンズ押さえ１２３）の側面（レンズ押さえ側面部１２３ｇ）に形成された溝である位置決め部１２３ｆに対応する位置に位置決め突起（図示なし）が形成されている。レンズユニット１２０（レンズ押さえ１２３）の位置決め部１２３ｆと、側面部Ｂ１１１ｃｂの位置決め突起とを係合させることによりレンズユニット１２０の位置決めをするので、レンズユニット１２０の上面部１２０ａの径Ｌ７と側面部Ｂ１１１ｃｂの径Ｌ４とは略同一、あるいはやや側面部Ｂ１１１ｃｂの径Ｌ４が大きいことが好ましい。
【００５０】
図６及び図７を用いて、レンズユニット１２０を灯具本体１１０へ取り付ける工程（方法）について説明する。
（１）レンズユニット１２０を灯具本体１１０の開口部１１１ａに挿入する。作業者（ユーザー）は、つまみ部１２３ｄをつまんで、片手で簡単にレンズユニット１２０をＱ方向へ挿入することができる。
（２）レンズ押さえ１２３の周辺部１２５ｂが開口部１１１ａに挿入されると、レンズユニット１２０の周辺部１２５ｂが灯具本体１１０の側面部Ａ１１１ｃａによって、中心方向へ押圧され、レンズ押さえ１２３の周辺部１２５ｂが弾性変形する。
（４）作業者は、レンズユニット１２０の上面部１２０ａが側面部Ｂ１１１ｃｂにより形成された空間の下端部に到達すると、位置決め部１２３ｆ（図４参照）と側面部Ｂ１１１ｃｂに形成された位置決め突起（図示なし）とが係合するように位置決めする。
（３）位置決めの後、さらにレンズユニット１２０を灯具本体１１０へ（Ｑ方向へ）押し込むと、レンズ押さえ１２３のレンズ押さえ取付部１２５ａが収納溝１１１ｇに収まるとともに、レンズ押さえ１２３の周辺部１２５ｂが取付溝１１１ｄに嵌まり込む。
（４）レンズ押さえ１２３の周辺部１２５ｂの径Ｌ５は、取付溝１１１ｄの径Ｌ１（図３参照）と略同一に形成される。したがって、レンズ押さえ１２３の周辺部１２５ｂは側面部１１１ｃ（取付溝１１１ｄ部分の側面部１１１ｃ）によって押圧されなくなり、弾性変形が解除される。
（５）レンズ押さえ１２３の周辺部１２５ｂが取付溝１１１ｄに嵌まり込むと、側面部Ａ１１１ｃａの上端部により周辺部１２５ｂがＰ方向（下方）へ移動するのが防止され、レンズユニット１２０が灯具本体１１０に固定される。
（６）レンズユニット１２０のネジ１２４のネジ頭は、ＬＥＤ基板押さえ１１３のネジ頭収納部１１３ａに収納される。
【００５１】
次に、図６及び図７を用いて、レンズユニットを灯具本体から取り外す工程について説明する。
（１）レンズ押さえ１２３のつまみ部１２３ｄを作業者（ユーザー）が摘み、下方（照射方向Ｐ方向）に引っ張ると、レンズ押さえ１２３の周辺部１２５ｂが弾性変形し、周辺部１２５ｂが側面部Ａ１１１ｃａの上端部を乗り越えるとともに取付溝１１１ｄから外れる。
（２）そして、レンズユニット１２０は、側面部Ａ１１１ｃａによって周辺部１２５ｂが押圧され周辺部１２５ｂが弾性変形しながら下方へ移動する。
（３）さらに、レンズ押さえ１２３のつまみ部１２３ｄを下方に引っ張ると、レンズユニット１２０が灯具本体１１０から外れ、レンズ押さえ１２３の周辺部１２５ｂの弾性変形が解除される。
【００５２】
以上のように、本実施の形態では、容易に配光を変化させる方法としてレンズユニット１２０を使用する方法について説明した。レンズユニット１２０はアクリルやポリカーボネートなどの樹脂材料から構成され、レンズとレンズを入れるレンズホルダー１２２、レンズを押さえるレンズ押さえ１２３で構成されている。本実施の形態のレンズユニット１２０では、ビーム角の異なるレンズに交換することで、基本構成は同一のままで異なるビーム角となるレンズユニット１２０を構成できる。
【００５３】
また、灯具本体１１０に対して着脱可能にレンズユニット１２０を構成することで、容易に照明器具１０００の配光を変えることができる。
【００５４】
本実施の形態のレンズユニット１２０は、少なくとも周枠部（周辺部１２５ｂ）をシリコンゴムなどの弾性力（柔軟性）を持つ材料で形成したので、レンズユニット１２０を灯具本体１１０へ押し込むことにより、周辺部１２５ｂが取付溝１１１ｄに挿入され、レンズユニット１２０を灯具本体１１０へ容易に固定することができる。
【００５５】
レンズユニット１２０は、つまみ部１２３ｄを備えているので、作業者がレンズユニット１２０を灯具本体１１０へ取り付ける、あるいは取り外す工程を片手で容易にすることができる。したがって、照明器具１０００から得られる配光を変更したいときなど、レンズユニット１２０を簡単に交換することができ、作業性が向上する。
【００５６】
本実施の形態の照明器具によれば、レンズユニット１２０を灯具本体１１０に取り付ける場合に別部品の固定部材を必要としない。したがって、ＬＥＤの灯数が増えるにしたがい、レンズの使用数も増えてしまい、ユニットの作成において部品点数が増えてしまうということがない。
【００５７】
実施の形態２．
図８は、レンズユニット１２０、１２０ｂの斜視図であり、（ａ）は実施の形態１で説明したレンズユニット１２０を示す図、（ｂ）は実施の形態２に係るレンズユニット１２０ｂを示す図である。
【００５８】
図８（ｂ）に示す枠部１２７において、実施の形態１の枠部１２５（図８（ａ）参照）と異なる点は、周辺部１２７ｂの形状である。実施の形態１に係るレンズユニット１２０の枠部１２５は、周囲に環状の周辺部１２５ｂが形成されていたが、本実施の形態に係るレンズユニット１２０ｂの枠部１２７では、取付溝１１１ｄに嵌合する周辺部１２７ｂは周囲の一部に形成されている。
【００５９】
例えば、図８（ｂ）に示すように、枠部１２７は、周囲の４カ所に周辺部１２７ｂを備えている。このとき、灯具本体１１０の取付溝１１１ｄは、実施の形態で説明したような環状の溝でもよいし、４カ所の周辺部１２７ｂに対応する位置に形成された溝でもよい。
【００６０】
以上、実施の形態１〜２について説明したが、これらのうち、２つの実施の形態を組み合わせて実施しても構わない。あるいは、これらのうち、１つの実施の形態を部分的に実施しても構わない。あるいは、これらのうち、２つの実施の形態を部分的に組み合わせて実施しても構わない。
【符号の説明】
【００６１】
１００  灯具、１１０  灯具本体、１１１  筐体、１１１ａ  開口部、１１１ｂ  放熱フィン、１１１ｃ  側面部、１１１ｃａ  側面部Ａ、１１１ｃｂ  側面部Ｂ、１１１ｄ  取付溝、１１１ｅ  取付面、１１１ｆ  開口周縁部、１１１ｇ  収納溝、１１２  ＬＥＤ基板、１１２ａ  ＬＥＤ、１１３  ＬＥＤ基板押さえ、１１３ａ  ネジ頭収納部、１１４  取付バネ、１１５  つば部、１１５ａ  接触面、１２０  レンズユニット、１２０ａ  上面部、１２０ｂ  レンズユニット、１２１  レンズ、１２１ａ  位置決め凸部、１２２  レンズホルダー、１２２ａ  レンズ取付部、１２２ｂ  位置決め凹部、１２２ｃ  ホルダー位置決め部、１２３  レンズ押さえ、１２３ａ  レンズ押さえ縁部、１２３ｂ  中央部、１２３ｃ  レンズ露出孔、１２３ｄ  つまみ部、１２３ｅ  ネジ取付穴、１２３ｆ  位置決め部、１２３ｇ  レンズ押さえ側面部、１２３ｈ  枠取付部、１２４  ネジ、１２５  枠部、１２５ａ  レンズ押さえ取付部、１２５ｂ  周辺部、１２５ｃ  レンズ押さえ挟持部、１２７  枠部、１２７ａ  レンズ押さえ取付部、１２７ｂ  周辺部、１６０  ＬＥＤ基板収納部、１７０，１７１  ネジ、１０００  照明器具。
【図１】
0005546417.tif 000002
【図２】
0005546417.tif 000003
【図３】
0005546417.tif 000004
【図４】
0005546417.tif 000005
【図５】
0005546417.tif 000006
【図６】
0005546417.tif 000007
【図７】
0005546417.tif 000008
【図８】
0005546417.tif 000009